(57)【要約】【課題】複合型読取書込装置は、光学情報を読み取る手段とＲＦＩＤタグを読み書きする手段との構成が全く異なることから、部品点数も増えてコストアップとなり、また装置の筐体が大型化するという課題があった。【解決手段】複合型読取書込装置は、光学情報を読み取る手段としての反射体とＲＦＩＤタグを読み書きする手段としてのアンテナとを一体化することにより、またそのアンテナパターンを蒸着したアンテナ手段を構成したり、アンテナパターンを績層して形成するアンテナ手段を用いることにより、部品点数の削減、筐体の小型化、また精度良くＲＦＩＤタグの読み書きが可能、さらに光学情報の読み取りも可能である。【選択図】図１
2005157434.tif 000002
【特許請求の範囲】
【請求項１】
光学情報読取機能と無線による非接触式の読取書込機能とを備えた複合型読取書込装置において、光学情報に光を照射する光源と、前記光学情報からの反射光を反射させる反射体と、前記反射体で反射された反射光を結像する結像手段と、前記結像手段で結像された反射光を画像として認識する画像認識手段とを備え、前記反射体に非接触読取書込のためのアンテナを設けた複合型読取書込装置。
【請求項２】
光学情報読取機能と無線による非接触式の読取書込機能とを備えた複合型読取書込装置において、前記複合型読取書込装置は、筐体と、光学情報に光を照射する光源と、前記光学情報からの反射光の光軸上でかつ前記筐体に近接して設けられ、前記反射光の光軸の向きを変更する反射体と、前記反射体により反射された反射光の光軸上に設けられ、前記反射光を結像する結像手段と、前記結像手段で結像された反射光を画像として認識する画像認識手段とを備え、前記筐体に近接して設けられた前記反射体に非接触読取書込のためのアンテナを設けた複合型読取書込装置。
【請求項３】
蒸着により反射体にアンテナとして作用するアンテナパターンと前記アンテナパターンを含む反射面が形成されることにより前記反射体と前記アンテナとを一体とした請求項１または２記載の複合型読取書込装置。
【請求項４】
アンテナとして作用するアンテナパターンを蒸着により形成した基板を積層することにより反射面を形成し、反射体とアンテナとを一体とした請求項１または２記載の複合型読取書込装置。
【発明の詳細な説明】
【技術分野】
【０００１】
本発明は光学情報読取機能と無線による非接触式の読取書込機能とを備えた複合型読取書込装置に関するものである。
【背景技術】
【０００２】
近年、商品に添付する識別情報として、バーコードなどの光学式識別情報に加えて、例えばＲＦＩＤタグを使用した非接触式識別情報が付与されるようになってきた。この市場動向に追従して、１台の読取装置で光学式識別情報を読み取る光学情報読取機能と非接触式識別情報を読み取る非接触式読取書込機能の両方を有する複合型読取書込装置が提案されている（例えば、特許文献１参照）。
【特許文献１】特開２０００−３４８１３３号公報
【発明の開示】
【発明が解決しようとする課題】
【０００３】
しかし、従来の複合型読取書込装置は、構成が全く異なる光学情報を読み取る手段とＲＦＩＤタグを読み書きする手段とを単に組み合わせて装置を構成しているので、装置全体が大型化すると共に部品点数も増えてコストアップとなっていた。
【０００４】
本発明は、光学情報を読み取る手段として使用する反射体と、ＲＦＩＤタグを読み書きする手段として使用するアンテナとを一体化した複合型読取書込装置を提供することを目的とする。
【課題を解決するための手段】
【０００５】
上記課題を解決するために、本発明の複合型読取書込装置は、光学情報読取機能と無線による非接触式の読取書込機能とを備えた複合型読取書込装置において、光学情報に光を照射する光源と、前記光学情報からの反射光を反射させる反射体と、前記反射体で反射された反射光を結像する結像手段と、前記結像手段で結像された反射光を画像として認識する画像認識手段とを備え、前記反射体に非接触読取書込のためのアンテナを設けたものである。
【０００６】
上記構成により反射体とアンテナを一体化した構成とすることが可能となり、部品点数を削減できる。
【０００７】
また、本発明の複合型読取書込装置は、光学情報読取機能と無線による非接触式の読取書込機能とを備えた複合型読取書込装置において、前記複合型読取書込装置は、筐体と、光学情報に光を照射する光源と、前記光学情報からの反射光の光軸上でかつ前記筐体に近接して設けられ、前記反射光の光軸の向きを変更する反射体と、前記反射体により反射された反射光の光軸上に設けられ、前記反射光を結像する結像手段と、前記結像手段で結像された反射光を画像として認識する画像認識手段とを備え、前記筐体に近接して設けた前記反射体に非接触読取書込のためのアンテナを取り付けたものである。
【０００８】
上記構成により反射体とアンテナを一体化した構成とすることが可能となり、部品点数を削減、また筐体を小型化できる。
【０００９】
また、本発明の複合型読取書込装置は、蒸着により反射体にアンテナとして作用するアンテナパターンと前記アンテナパターンを含む反射面が形成されることにより前記反射体と前記アンテナとを一体としたものである。
【００１０】
上記構成により複合型読取書込装置はアンテナを一枚の基板に形成することが可能となり、アンテナの製造コストを削減できる。
【００１１】
また、本発明の複合型読取書込装置は、蒸着によりアンテナとして作用するアンテナパターンを形成した基板を積層することにより反射面を形成し、反射体とアンテナとを一体とした構成となっている。
【００１２】
上記構成により複合型読取書込装置は、１つの基板に設けられるアンテナパターンのラインとラインとの間に隙間が存在するが、各基板のアンテナパターンを設ける位置を変えて、こららの基板を互いの隙間を埋めるように積層することにより、反射体としての反射率が向上させ、アンテナパターンを反射面としても利用することができる。
【発明の効果】
【００１３】
以上のように、本発明は光学情報読取機能と無線による非接触式の読取書込機能とを備えた複合型読取書込装置において、光学情報を読み取る手段として作用する反射体とＲＦＩＤタグを読み書きする手段として作用するアンテナとを一体化することにより、部品点数の削減および装置の小型化が可能となる。
【発明を実施するための最良の形態】
【００１４】
以下、本発明の実施の形態について図１から図３を用いて説明する。
【００１５】
（実施の形態１）
図１は、光学情報１と、ＲＦＩＤタグ６と、複合型読取書込装置１０の概略断面を示す図である。
【００１６】
図１において、１は例えばバーコードのような光学情報、２は光学情報に光を照射する光源、３は光学情報からの反射光を反射させる反射体であり、この反射体３にはＲＦＩＤタグ６と情報の読み書きをするアンテナ手段８が一体化されている。また、４は反射体３で反射された反射光を結像する例えばレンズのような結像手段、５は結像手段４で結像された反射光を画像として認識する画像認識手段、６は非接触で情報のやり取りが可能なＲＦＩＤタグ、７はアンテナ手段８を通じてＲＦＩＤタグ６に対して情報を読み取りや書き込みを行う処理手段である。
【００１７】
図２はアンテナ手段８を反射体３に設けた例を示す構成図である。
【００１８】
このアンテナ手段８は、光学情報１からの反射光を反射させる反射面を有する反射体３に一体として設けられている。そして、アンテナ手段８はＲＦＩＤタグ６と無線により情報のやりとりを行うアンテナの機能を有し、反射体３にアルミ等の金属を蒸着したアンテナパターンとして形成されている。
【００１９】
なお、アンテナ手段８を備えた反射体３は、反射面を設けた基板とアンテナパターンを蒸着した基板とを張り合わせた構造としても良いし、１枚の基板の片側に反射面を設けて反射体３とし、この反射体３の反射面とは反対の面にアンテナ手段８としてのアンテナパターンを蒸着した構成としても良い。そして、１枚の基板にアンテナ手段８と反射面を設けることで反射体３を薄い構造とすることができる。
【００２０】
次に、上記したアンテナ手段８を有する反射体３を備えた複合型読取書込装置１０の動作について説明する。
【００２１】
バーコード等の光学情報１の情報を読み取る場合、光源２から照射された光は光学情報１で反射されて複合型読取装置１０内に入射し、この反射光は反射体３で反射して光路が変更され、結像手段４で結像され、画像認識手段５で読み取られる。また、ＲＦＩＤタグ６の情報の読み取りやＲＦＩＤタグ６への情報の書き込みを行う場合、反射体３に一体化しているアンテナ手段８から電波を放出して無線によりＲＦＩＤタグ６と通信を行い、処理手段７によりＲＦＩＤタグ６からの情報の読み取りやＲＦＩＤタグ６への情報の書き込みを行う。
【００２２】
以上のように、本実施の形態によれば、アンテナ手段８を反射体３と一体化することにより、少ない部品点数で光学情報１とＲＦＩＤタグ６の情報の両方を読み取る複合型読取書込装置を実現することができ、装置の小型化や低コストを図ることができる。
【００２３】
なお、図１において、ＲＦＩＤタグ６に対して情報のと読み取りや書き込みを行うアンテナ手段８を一体化した反射体３は、光学情報１からの反射光の光軸上でかつ複合型読取書込装置１０の筐体９に近接して設けられている。このように反射体３を筐体９に近接して設ける構造とすることで反射体３を光学情報１の読み取りとＲＦＩＤタグ６の読み書きに共用することができ、さらにアンテナ手段８は筐体９に近接して設けられるので、アンテナ手段８は近距離で通信が可能なものを使用することができる。
【００２４】
また、図２に示すように、反射体３と一体化したアンテナ手段８を蒸着パターンとして反射体３に形成することで、より精度の高いアンテナパターンを実現することができる。そして、より精度良く通信対象であるＲＦＩＤタグ６の共振周波数に一致したインダクタンスを形成でき、より優れたＲＦＩＤタグ６の読み書きが可能となる。
【００２５】
なお、反射体３に設けるアンテナ手段８と反射面とは対向する面に設けても同一面に設けても良く、同一面に設ける場合は、反射体３の一つの面に金属を蒸着してアンテナ手段８を形成し、さらに、このアンテナ手段８と電気的に接続することがないようアンテナ手段８と同一の面に金属を蒸着するなどして反射面を設けるようにしてもよい。
【００２６】
（実施の形態２）
本実施の形態において実施の形態１と同様の箇所については同一の符号を付して詳細な説明を省略する。実施の形態１と異なるのは、反射体３の構成である。
【００２７】
図３に本実施の形態における反射体３を示す。１１は光の透過が可能な例えば透明な基板であり、この基板１１にアンテナ手段８が設けられており、複数の基板を積層することで反射体３を構成し、アンテナ手段８としてのアンテナパターンを反射面としても用いるものである。
【００２８】
以下、反射体３の構成について詳細に説明する。
【００２９】
基板１１にアンテナ手段８としてアルミ等の金属を蒸着したアンテナパターンを設けた場合、アンテナパターンの線と線の間には間隙が生じてしまう。そして、このアンテナパターンを反射面として用いる場合には基板１１の表面に占めるアンテナパターンの面積が少ないので、光の反射率も低いものとなってしまう。
【００３０】
そこで、アンテナパターンを設ける位置を変えた複数の基板１１を設け、これらの基板１１を互いの隙間を埋める位置になるように積層して反射体３を構成することで反射面を大きくすることができ、こらにより反射効率を向上することができる。
【００３１】
以上のように、本実施の形態によれば、アンテナ手段８としてのアンテナパターンを反射面としても利用可能とし、反射率を向上することができる。
【産業上の利用可能性】
【００３２】
本発明の複合型読取書込装置は、光学情報を読み取る手段として作用する反射体とＲＦＩＤタグを読み書きする手段として作用するアンテナとを一体化することにより、部品点数の削減および装置の小型化が可能となり、複数の記録担体を読み取る装置等として産業上有用である。
【図面の簡単な説明】
【００３３】
【図１】本発明の複合型読取書込装置の概略断面を示す図
【図２】本発明の複合型読取書込装置が備える反射体を示す図
【図３】本発明の複合型読取書込装置が備える反射体を示す図
【符号の説明】
【００３４】
１  光学情報
２  光源
３  反射体
４  結像手段
５  画像認識手段
６  ＲＦＩＤタグ
７  処理手段
８  アンテナ手段
９  筐体
１０  複合型読取書込装置
１１  透明基板
【図１】
2005157434.tif 000003
【図２】
2005157434.tif 000004
【図３】
2005157434.tif 000005